(57)【特許請求の範囲】
【請求項１】
ビデオ信号と走査同期信号の間の位相関係を調整し、維持するための水平偏向システムであって、
ビデオ信号の水平同期成分に対応する第１の周波数を有し、ビデオ信号中の前記水平同期成分と同期した第１のタイミング信号を発生する手段と、
前記第１のタイミング信号と同期して動作し、前記第１の周波数より高い第２の周波数の第２のタイミング信号を発生するカウント手段であって、このカウント手段に相異なる開始数を供給して、前記第１と第２のタイミング信号間の相対的位相を段階的に調整して、インタレース走査動作モードと順次走査動作モードの双方における水平画像センタリングを制御するカウント手段と、
前記第２のタイミング信号に応答して前記第２の周波数の走査同期信号を発生する手段と、
を具える、水平偏向システム。
【発明の詳細な説明】
【０００１】
【産業上の利用分野】
この発明はテレビジョン装置用の水平偏向回路に、特に、入来ビデオ信号と、水平方向のセンタリングを行うために水平偏向回路によって用いられる同期信号との間に遠隔調整可能な位相関係を与えるためのシステムに関するものである。
【０００２】
【発明の背景】
テレビジョン装置では、ラスタ走査を生成する回路を、表示されているビデオ信号に同期させる必要がある。例えば、標準のＮＴＳＣビデオ信号は、各フィールドが約１５，７３４Ｈｚの基本即ち標準水平走査周波数でのラスタ走査動作により生成される連続したフィールドをインタレースさせることによって表示される。
【０００３】
ビデオ信号用の基本走査周波数は、ｆＨ、１ｆＨあるいは１Ｈ等、種々の呼び方がある。１ｆＨ信号の実際の周波数はビデオ方式に応じて異なる。テレビジョン装置の画質を改善する試みに応じて、ビデオ信号を順次、非飛越形（非インタレース形）で表示するシステムが開発されている。順次走査では、各表示フレームを、インタレース形式の２フィールドの１つの走査用として割当てられた時間と同じ時間で走査しなければならない。従って、水平走査周波数はインタレースビデオ信号の水平走査周波数の２倍にしなければならない。このような順次走査表示のための走査周波数は、これも２ｆＨとか２Ｈのように種々の呼び方がなされている。例えば、米国における方式に従う２ｆＨ走査周波数は約３１，４６８Ｈｚである。また、一般的な倍数周波数は、例えば、ｎｆＨと呼ばれる。但し、ｎは２以上の整数である。
【０００４】
精巧なビデオ処理、偏向システムで遭遇する１つの問題は、ビデオ情報に対する特別な信号処理に余分に時間を必要とすることである。付加的な信号処理の結果として生じる時間遅延は、入来ビデオ信号に対する偏向回路の同期化に問題を生じさせる。ビデオ／ラスタ位相を適切に同期させようとすると、画面の水平方向のセンタリングが行われなくなってしまう。通常、ビデオ情報は、テレビジョン装置により第１の水平走査周波数、例えば、１ｆＨで１線ずつ受信される。また、例えば、順次走査システムでは、ビデオ情報は表示に先立って、１度に１またはそれ以上の線ずつ記憶される。また、時には、各線が２回以上読出されたり、表示されることもある。さらに、連続した線または連続した線の組に含まれる情報が、例えば、補間によって組合わされて処理されることがある。これにより、ビデオ情報の線が付加されることになり、これらの線は元のビデオ信号中の情報と共に表示されねばならない。例えば、双方向走査システムにおいては、１本おきの線のビデオ情報が逆方向に読出され、あるいは表示されねばならない。いずれの場合でも、ｎｆＨ倍数周波数、この場合は２ｆＨ、の同期信号が、信号処理を行うに充分な長さの遅延を施される必要がある。
【０００５】
多くの異なったテレビジョン装置は、それぞれ異なった信号処理機能と、信号処理システムを持っているので、これらのテレビジョン装置に用いられる回路のうち、可能なものはこれらの多くのテレビジョン装置で共通に使用できるように標準化することが望ましい。ある受像機は複数モードで動作する、即ち、２以上のビデオ信号源からのビデオ信号を処理することができるが、この場合は、より長い処理時間を必要とする場合もあり、より短くてもよいことがあるから、ビデオ／ラスタ位相調整が調整可能でなければならない。テレビジョン装置、特に、精巧な信号処理を行うものにおいては、ビデオ／ラスタ位相調整の制御、即ち、受信されたビデオ信号中の同期成分と、処理されたビデオ信号用に生成される走査同期信号との間の遅延の制御を簡単に行ない得ることが強く要望されている。処理されたビデオ信号は、時として、より高い走査周波数で表示されることがあり、例えば、インタレース形式の１ｆＨビデオ信号と、順次水平走査偏向システムに要求される２ｆＨ走査同期信号との間の遅延に関してビデオ／ラスタ位相調整が必要となる。
【０００６】
発明の概要
本発明の水平偏向システムは、ビデオ信号（１１）と走査同期信号（６７）の間の位相関係を調整し、維持する。それによって、画像の正しい水平センタリングが維持される。水平偏向システムは、ビデオ信号の水平同期成分（１ｆＨ同期信号）に対応する第１の周波数（１ｆＨ）を有し、ビデオ信号中のその水平同期成分と同期した第１のタイミング信号（１７）を発生する手段（４８、５２）と、その第１のタイミング信号と同期して動作し、その第１の周波数より高い第２の周波数の第２のタイミング信号（２ｆＨ−ＲＥＦ）を発生するカウント手段（５６）であって、このカウント手段に相異なる開始数を供給して、その第１と第２のタイミング信号間の相対的位相を段階的に調整して、インタレース走査動作モードと順次走査動作モードの双方における水平画像センタリングを制御するカウント手段と、その第２のタイミング信号に応答してその第２の周波数の走査同期信号を発生する手段（６２）と、を具える。
【０００７】
この発明を実施した水平センタリング回路を使用すると、元来異なるタイミング特性を持つ、別のビデオ信号源に対して、自動制御ビデオ／ラスタ位相調整を行うことができる。上記別のビデオ信号源としては、例えば、ＲＧＢ入力やコンピュータビデオ駆動回路などがある。例えば遠隔制御キーパッドなどを用いて別のビデオ信号源が選択されると、それが遠隔制御受信機によって検出される。遠隔制御受信機はテレビジョン装置を制御するマイクロプロセッサによりモニタされている。マイクロプロセッサは信号処理回路のビデオ出力として別のビデオ信号源をスイッチするようにビデオ信号源選択器に制御データを送る。マイクロプロセッサはさらに、制御データをビデオ／ラスタ位相調整回路に送って、画面の正しいセンタリングが行われるように、上記別のビデオ信号源の異なったタイミング特性に対する補償を行わせる。
【０００８】
この発明によれば、さらに、バス制御形の位相調整と共に、必要に応じて手動制御によって、例えば０〜２μ秒の範囲内の位相微調整を行うことができるようにすることができる。この態様によれば、位相微調整は、同期信号とタイミング信号の連続した列中で、バス制御による遅延が実施される点とは異なる点で行うことができる。例えば、微位相調整は変換器ではなく、第２の位相ロックループ中に挿入することができる。遅延は第１のタイミング信号ではなく第２のタイミング信号に対して行われる。実施例においては、第２の周波数のリトレースパルスが鋸歯状信号回路への入力とされる。鋸歯状信号は第２の位相ロックループの位相比較器への一方の入力となっている。鋸歯状信号回路はランプキャパシタを含んでいる。鋸歯状信号回路中のランプキャパシタを充電するために用いる電流を、例えば手動調整可能なポテンショメータを用いて変化させることにより、位相の微調整が行われる。
【０００９】
ビデオ信号中の、例えば１ｆＨの第１の水平同期信号から、例えば２ｆＨの第２の水平同期信号を生成する際に遭遇する可能性のある別の問題は、第１の同期信号の周期内における第２の同期信号の対称性、あるいは恒常性（不変性）を充分精密に保持することである。第２の信号の周期は第１の信号によって生じるジッタのために変動することがある。例えば、２ｆＨの同期信号の対称性が、例えばすべての１ｆＨ周期内で充分に正確でない場合には、２ｆＨのトレースがラスタの１本おきの線で異なる時点で始まるようになってしまう。その結果、例えば図６に示すように、ラスタが分離してしまうことがある。図６において、ラスタ２は右方にずれた画像部分Ｒを形成している１本おきの走査線からなる走査線の第１の組と、左方にずれた画像部分Ｌを形成している１本おきの走査線からなる走査線の第２の組とを有する。互いに隣接するトレース期間中に異なるピーク・ピークヨーク電流が流れるので、互いに隣接するリトレースパルスの振幅は互いに異なる。隣接トレース期間中に流れるピーク・ピークヨーク電流が異なるのは、隣接トレース期間の長さが異なるためである。隣接線間の走査の差の量は、周期の差の大きさと、偏向回路の全エネルギ回復効率とによって左右される。ラスタの分離の効果は図６では、部分Ｌの走査線の開始を部分Ｒの走査線の開始よりも早く生じるような形で誇張して示されているが隣接トレース期間が１００ｎ秒程度しか違っていなくても、許容できないようなラスタの分離が生じてしまう。
【００１０】
例えば１ｆＨの第１の同期信号の非対称性は、２つの位相ロックループを持ち、ビデオスピードアップ・システムの一部を構成している水平偏向システムの同期回路中で使用される位相ロックループの性質自体によって生じる可能性がある。この非対称性は、また、ある種の集積回路に付随していることもある。例えば、周波数１ｆＨの第１の位相ロックループ用の帰還信号が取出されるリトレース信号がない場合には、第１のタイミング信号が位相ロックループ中の位相比較器への帰還信号として用いられる必要がある。このようにすると、第１のタイミング信号の周波数のリプルを発生する可能性が生じ、その結果、第１のタイミング信号が非対称になってしまう。これまでは、この非対称性は、例えば、第１の位相ロックループの動作に関連する特別な信号処理回路及び／または、第１のタイミング信号をその周波数の倍数の周波数を持つ第２のタイミング信号あるいは同期信号に変換するために用いられる回路によって補正していた。しかし、このような方法は費用がかかり、また、同期情報を偏向回路中を伝送させる時に不所望な遅延を生じさせる可能性がある。
【００１１】
１９９０年３月２６日出願の米国特許出願第４９９，２４９号（特開平７−７９３５７号に対応）には、ビデオ信号を倍数走査周波数で表示する際に使用される正確な同期回路を有する水平偏向システムが記載されており、このシステムにおいては、非対称性が同期信号すなわちタイミング信号の周期的な乱れによって生じる。このシステムでは、第１の位相ロックループがビデオ信号中の水平同期成分に対応する第１の水平同期周波数の第１のタイミング信号を発生する。変換器回路が第１のタイミング信号から、第１の周波数の倍数である第２の周波数を持ち、第１の周波数に対応する周波数で周波数変動を生じるような第２のタイミング信号を取出す。第２の位相ロックループがこの第２のタイミング信号と第２の周波数に応じた帰還信号を受信する。この第２の位相ロックループは第２の周波数の滑らかな水平同期信号を発生する電圧制御発振器を含んでいる。この第２の位相ロックループは、電圧制御発振器が第２のタイミング信号の変動の速度と同じ速さで周波数を変化させないようにする特性ループ応答を持っている。第２の周波数に応じた同期水平走査を行わせるために、水平出力偏向段を第２の位相ロックループに結合することができる。２つの位相ロックループは、信号周波数（レート）変換器あるいは乗算器と共に、タンデムに構成されている。第１の位相ロックループにより生成されたタイミング信号の対称性あるいは変換器により取出された倍数周波数タイミング信号の対称性を補正するための信号処理回路を付加する必要はない。
【００１２】
この出願の発明によれば、受信したビデオ信号と、前記米国特許出願第４９９，２４９号に記載のジッタ制御システムとコンパチブルな水平偏向回路により生成されるより高い周波数の同期またはタイミング信号との間の位相関係の調整と維持が容易になる。例えば、分周器の出力は、前述のように、周波数変動が第２の位相ロックループにより平均される未補正タイミング信号として取扱われ処理される。
【００１３】
【実施例の説明】
１ｆＨのビデオ信号を２ｆＨで順次走査するための水平偏向システムをブロック図の形で図１に示し、全体を参照符号４０で示す。出力として正規周波数１ｆＨの第１のタイミング信号を発生する位相ロックループを形成するためにワンチップ１２を用いることができる。例えば、産業用タイプＴＡ８３６０は、同期分離器１４、位相比較器１６及び電圧制御発振器４８を有するワンチップである。線１１上の１ｆＨビデオ信号は同期分離器１４へ入力として与えられる。同期分離器１４は線４３に垂直同期パルスを、線１３に１ｆＨの水平同期パルスを供給する。図７（ａ）に示す線１３上の１ｆＨ同期信号は位相比較器１６に入力として供給される。図７（ｂ）に示す線１５に現われる位相比較器１６の出力は低域通過フイルタ２０に対して供給されるエラー制御信号である。例えばＴＡ８３６０中の低域通過フイルタの周波数特性は主として外部タイミング成分によって決まる。従って、ブロック２０は点線で示してある。この外部素子としては、例えば、１０μＦのキャパシタとこのキャパシタと接地間に結合された３Ｋの抵抗とを有する直列ＲＣ回路網がある。電圧制御発振器（ＶＣＯ）４８はセラミック共振回路あるいはＬＣ共振回路５０に応答し、３２ｆＨで動作する。図７（ｃ）に示す線４９上の正規周波数３２ｆＨのタイミング信号は３２分の１回路（÷３２回路）５２に入力として供給される。線１７に現われる３２分の１回路５２の出力は図７（ｄ）に示す１ｆＨの駆動信号である。この１ｆＨ信号は線５５を介して位相比較器１６の他方の入力に加えられ、その結果、図７（ｂ）のエラー制御電圧が図示のように１ｆＨのリプルにより悪影響を受ける可能性がある。位相比較器１６に帰還されている１ｆＨパルスの幅が広すぎる場合には、パルス幅を例えば直列接続したキャパシタ５４により狭くすることができる。共振回路５０の３２ｆＨの出力はワンチップの外部で線５１にも与えられている。
【００１４】
１ｆＨから２ｆＨへの変換器（１ｆＨ−２ｆＨ変換器）及びバス制御される位相調整回路５６が、線１７によって第１の位相ロックループの１ｆＨ出力タイミング信号の発生器である３２分の１回路（÷３２回路）５２に結合されており、また、線５１によって共振回路５０に結合されている。回路５６は出力として線６１上にタイミング信号２ｆＨ−ＲＥＦを発生する。線１７上の１ｆＨタイミング信号に対する２ｆＨ−ＲＥＦ信号の位相は、例えばマイクロプロセッサ７４により直列データバス５３を通して送られる制御信号に応答して調整できる。
【００１５】
図２には回路５６がより詳細に示されている。線５１上の共振回路５０の出力は増幅器９０に入力として与えられている。線９１に現われる増幅器９０の出力は１６分の１カウンタ（÷１６カウンタ）５８へのクロック（ＣＬＯＣＫ）入力となる。３２ｆＨの信号を１６分の１すると、２ｆＨの信号が得られる。種々のクロック周波数と除算係数とを適当に組合わせて用いることにより、基本水平走査周波数の別の倍数の周波数を用いることもできる。線１７上の１ｆＨタイミング信号は縁検出器９２に入力として供給される。縁検出器９２は、１ｆＨタイミング信号中のパルスの、例えば前縁を検出する。線９３上の縁検出器９２の出力はカウンタ５８へロード（ＬＯＡＤ）入力として与えられる。１６分の１カウンタ５８は４ビットカウンタとすることができ、そのＤ入力即ち開始数入力に４ビット並列データバス９５を備えている。
【００１６】
この発明の別の態様によれば、上記のような計数手段の使用は前述した米国特許出願第４９９，２４９号に開示されたジッタ制御システムと両立性がある。この米国出願の発明の一実施例では、３２ｆＨのクロック信号から２ｆＨのタイミング信号を生成するために、同様の（但し、プリセット動作はない）計数／分周手段が用いられている。２ｆＨ信号はビデオ信号中の水平同期成分に同期した１ｆＨタイミング信号によって水平同期成分に同期される。
【００１７】
遠隔制御は、例えば、デジタル制御構成を有するテレビジョン装置にしばしば設けられているような直列データバス５３（図１）によって行うことができる。直列データバスは、例えば、図示のように、ＤＡＴＡ（データ）、ＣＬＯＣＫ（クロック）及びＥＮＡＢＬＥ（可動化）の符号を付して示した３本の線で構成されている。計数を開始する開始数は、マイクロプロセッサ７４により直列データバス５３を介して供給される情報によってシフトレジスタ９４に記憶させるようにすることができる。データバス５３は１６分の１カウンタ５８が線１７上の１ｆＨ信号中にパルスが発生する毎に用いる開始数を供給することができる。カウンタ５８の出力Ｑは４ビットの信号で並列データバス９７に供給される。この４ビット信号は復号回路９６に入力として供給される。復号回路９６は、例えば、計数値１６が生じる度に出力パルスを線９９に供給する。各開始数は、互いに異なる対応する数の増分位相調整遅延、あるいは、位相粗調整遅延を与える。線９９上の信号はパルス幅回路６０の入力に供給されており、この回路６０の線６１上の出力が２ｆＨ−ＲＥＦ信号である。パルス幅回路６０は線６１上に供給される未補正の２ｆＨ−ＲＥＦタイミング信号中のパルス幅が、第２の位相ロックループ中の位相比較器を適正に動作させることが出来るに充分なものとなるようにする。
【００１８】
上述した構成の代りとして、可調整遅延は図３に示すようなデジタル移相器によって実現してもよい。図３において、１ｆＨ−２ｆＨ変換器５６′は、カウンタ５８がプリセット可能ではなく、かつ、シフトレジスタ９４が設けられていないという点以外は、図２のブロック５６と同じである。線６１上の２ｆＨ−ＲＥＦ信号はデジタル移相器１０１に入力として供給される。移相器により与えられる位相遅延の量はマイクロプロセッサによってデータバス５３を通して送られてくる制御信号によって決まる。線５１は３２ｆＨクロック信号をデジタル移相器に供給する。デジタル移相器が直列データを受けるようにされた入力記憶バッファを持たない場合には、シフトレジスタ９４と同様のレジスタが、図２のブロック５６内に示すような形で、そのために用いられる。移相器１０１の出力は位相調整された信号２ｆＨ−ＲＥＦ′で、この信号は、例えば図１のブロック６２中に示されている第２の位相ロックループへの入力となる。
【００１９】
２ｆＨ−ＲＥＦ信号は、１ｆＨ信号の最初のデューティサイクルが５０％である時にのみ対称性を持つ。３２ｆＨＶＣＯに対するエラー制御電圧に対する１ｆＨのリプルの影響は図７（ｂ）の波形に現われている。エラー制御電圧は各１ｆＨ期間中に周期的に低下する。従って、３２ｆＨＶＣＯの出力周波数ｆＶＣＯは、各１ｆＨ期間中に周期的に低下する。周波数が低下すると、その後の３２ｆＨＶＣＯからの出力パルスは次第に低くなる。周波数が低くなると、パルス幅１／ｆＶＣＯは増加する。分周器回路５８は、３２ｆＨＶＣＯの３２個の出力パルス分の期間を持つ１ｆＨ信号の周波数を、上記期間を２分の１にする、即ち、１６個のパルス分を持つ２つの期間に分割することによって、２倍にする。しかし、パルス幅が周期的に増大するために、最初の１６個のパルスの合計の幅ｔＡは次の１６個のパルスの合計幅ｔＢよりも狭くなってしまう。ｔＡの期間がｔＢと等しくないと、２ｆＨ−ＲＥＦタイミング信号は、いくらデジタル分周器が精密なものであっても、１ｆＨ信号の期間内で対称にはならない。このような非対称性が生じると、図７（ｆ）に示すように、リトレースパルスの振幅が交互にＹ１とＹ２をとる。その結果、ラスタの分割が生じる可能性がでてくる。従って、デジタル回路によって生成される２ｆＨ−ＲＥＦ信号も、さらに処理を必要とする未補正信号として取扱われる必要がある。
【００２０】
２ｆＨ−ＲＥＦ信号は第２の位相ロックループ６２によってさらに処理される。この第２の位相ロックループは位相比較器６４、低域通過フイルタ６３及び電圧制御発振器６６を含んでいる。位相ロックループ６２は産業用タイプＣＡ１３９１として実施されている。線６５に現われる位相比較器６４のエラー出力信号が、２ｆＨの周波数で動作する電圧制御発振器６６に対して制御入力として供給される。発振器の動作周波数とＣＡ１３９１発振器中の低域通過フイルタの周波数応答は、図４に示すように、主として外部のタイミング成分によって決まる。従って、ＬＰＦ６３は点線で示されている。
【００２１】
２ｆＨ−ＲＥＦは位相比較器６４に一方の入力として供給される。線６５に現われる位相比較器６４からのエラー制御信号は低域通過フイルタ６３に入力される。低域通過フイルタ６３の出力は、２ｆＨの周波数で動作する２ｆＨＶＣＯとして示した電圧制御発振器６６に制御入力として供給される。低域通過フイルタ６３の周波数特性は、例えば、図４に示すような１．５μＦのキャパシタＣ５３と２ＫΩの抵抗Ｒ６８とによって形成された外部ＲＣ回路網によって決まる。線６７に現われる電圧制御発振器６６の出力は、水平出力回路６８に対する補正済２ｆＨ同期信号ＣＯＲＲＥＣＴＥＤ２ｆＨとなる。線６９に現われる水平出力回路６８の出力は２ｆＨリトレースパルス２ｆＨＲＥＴＲＡＣＥの形の２ｆＨ信号となる。２ｆＨＲＥＴＲＡＣＥパルスはランプ発生器７０の入力になる。ランプ発生器７０は手動遅延回路７２によって手動位相遅延が施される。線７１に現われるランプ発生器７０の出力はキャパシタＣ５６によって線７３を通して位相比較器６４の他方の入力に交流結合される。
【００２２】
図１に示されたブロック図の一部についての回路図が図４に示されている。タイプＣＡ１３９１回路としての位相ロックループ６２は、発振器６６、位相検出器６４、前置駆動段（プレドライバ）８４、位相検出器出力駆動段８６及びＶＣＣ電圧調整器８７を含んでいる。発振器６６は端子７を周波数制御用に用いたＲＣ形のものである。外部キャパシタＣ５１が端子７からアースに接続されており、端子６と７の間に接続された外部抵抗Ｒ６２を通して充電される。端子７の電圧が内部電位バイアスを超えると、キャパシタＣ５１が内部抵抗を通して放電する。これによって駆動パルスが生成される。この駆動パルスはキャパシタが充分に放電すると終了する。端子３に現われる負向きの同期パルスが、水平フライバック即ちリトレースパルスから取出された端子４に現われる鋸歯状波形と位相比較される。同期信号と鋸歯状波形との間に位相差がない場合には、端子５には正味出力電流は現われない。位相のずれが生じると、周波数を補正するために、電流が端子５からまたは端子５へ流れる。前置駆動段８４のデューティサイクル、即ち、マークスペース比は端子８に電位を設定することにより調整できる。図４の回路においては、これは抵抗Ｒ６３とＲ６４により形成された分圧器により決められる。抵抗Ｒ７２を介して端子７に結合されているポテンショメータＲ３７を用いて発振器６６の周波数を手動で調整することができる。
【００２３】
ランプ発生器７０はトランジスタＱ４、抵抗Ｒ５５、キャパシタＣ５０からなる。キャパシタＣ５０の両端間に発生したランプ信号はキャパシタＣ５６を介して端子４に交流結合される。トランジスタＱ２とポテンショメータＲ２０が手動遅延回路７２を形成し、この回路はランプキャパシタＣ５０を充電する電流を変化させる。キャパシタＣ５０を充電するために必要な時間を変えることにより、２ｆＨ−ＲＥＦパルスと補正済２ｆＨパルスＣＯＲＲＥＣＴＥＤ２ｆＨの相対位相に約０〜２μ秒の可変遅延を与える。
【００２４】
線６７に現われる前置駆動段８４のＣＯＲＲＥＣＴＥＤ２ｆＨ  出力は、トランジスタＱ５とＱ６を有し、水平出力回路６８に対して駆動出力信号２ｆＨＤＲＩＶＥを供給するプッシュプル駆動回路に入力として供給される。
【００２５】
図５（ａ）〜（ｄ）の波形は、図１〜図４に示す回路の動作によって生成される１ｆＨ及び２ｆＨのタイミング信号と同期信号との相対的な位相の位置を示す。図５（ａ）は同期分離器１４によって分離され、線１３によって位相比較器１６に供給される１ｆＨ同期パルスを示す。図５（ｂ）は線１７に生じる３２分の１回路５２の１ｆＨ出力を示す。第１の位相ロックループが１ｆＨ同期パルスの、例えば、中間点における１ｆＨパルスの、例えば、前縁の相対的位相を維持する働きをする。図５（ｃ）はパルス幅回路６０によって線６１上に生成された２ｆＨ−ＲＥＦ信号を示し、この信号は第２の位相ロックループ６２の位相比較器６４への入力の一方である。図５（ｄ）はランプ発生器７０に入力として加えられる線６９上の２ｆＨリトレース信号２ｆＨＲＥＴＲＡＣＥである。１ｆＨ同期パルスと２ｆＨ−ＲＥＦパルス、従って、補正済２ｆＨパルスとの間の位相差は、前述したように、１６分の１カウンタ５８をバス制御プリセットすることにより、例えば、２μ秒単位で調整することができる。２ｆＨリトレースパルス２ｆＨＲＥＴＲＡＣＥと２ｆＨ−ＲＥＦ信号との間の位相差を設定する手動制御遅延回路７２によって微調整、例えば、０〜２μ秒の微調整を行うことができる。この手動制御遅延回路７２は２ｆＨリトレースパルス２ｆＨＲＥＴＲＡＣＥと位相比較器６４の他方の入力である鋸歯状信号との間の遅延を調整するものなので、上記の微調整は間接的な調整である。別のクロック周波数及び／または異なる分解能を得るために別のビット数を持った別のカウンタを用いることにより、異なる時間遅延単位でバス制御を行うこともできる。また、上記の手動位相調整に変更を施して、バス制御によって与えられる増加時間遅延ステップに対応する範囲全体にわたって手動調整できるようにすることもできる。
【００２６】
別の（交替）ビデオ信号源を利用することもできるようにしたビデオ／ラスタ位相遅延調整の一例を図８にブロック図として示す。図８に示す水平偏向回路８０は図１〜４に示す回路４０と同じであるが、選択的に使用できるビデオ信号源とこれらの信号源を切換えるための手段も示されている。ワンチップ１２、変換器５６及び第２の位相ロックループ６２の詳細は、図をわかりやすくするために省略してあるが、図１〜４に示すものを用いることができる。ワンチップのいくつかのものはビデオ信号源選択器を備えているが、全てのワンチップが備えているとは限らない。
【００２７】
マイクロプロセッサ７４が遠隔制御受信機７９とビデオ信号源８８とに、例えば、直列バス５３によって接続されている。遠隔制御受信機７９はキーパッド、例えば、遠隔制御キーパッド８９に、高周波または赤外線送信８５によって結合されている。合成ビデオ信号源としてブロック８１に示されているビデオ信号源Ａが分離・復調回路８３に結合されている。従って、ビデオ信号源Ａは、例えば、放送合成ビデオ信号あるいはケーブル放送ビデオ信号、例えば、１ｆＨ飛越走査ビデオ信号源である。分離・復調回路８３の出力はビデオ電子銃用の赤、緑、青駆動信号と同期信号で、これらは、それぞれ、Ａ  ＲＥＤ、Ａ  ＧＲＥＥＮ、Ａ  ＢＬＵＥ及びＡ  ＳＹＣとして示されている。これらの出力は一組となってビデオ信号源選択器８８へ入力として供給される。ビデオ信号源選択器８８へのもう一組の入力は、ＲＧＢビデオ信号源としてブロック８２に示されている別のビデオ信号源により供給される。ＲＧＢビデオ信号は例えばコンピュータから供給される。この別の選択的に使用し得るビデオ信号源８２の出力はＲＧＢ  ＲＥＤ、ＲＧＢ  ＧＲＥＥＮ、ＲＧＢ  ＢＬＵＥ及びＲＧＢ  ＳＹＮＣと示されている。画面の適正なセンタリングのためには、ビデオ／ラスタ位相調整の際に異なる遅延が必要となることがわかるであろう。ビデオ信号源選択器８８はＲＥＤ  ＯＵＴ、ＧＲＥＥＮ  ＯＵＴ、ＢＬＵＥ  ＯＵＴ及びＳＹＮＣ  ＯＵＴと示された出力を持っている。例えば、別の選択的に使用されるビデオ信号源のタイミング信号は、ビデオ／ラスタ位相調整を行わないと、この別の信号源が選択された時に画面の水平方向のセンタリングが適正に行われないほど異なっているものと仮定する。
【００２８】
例えば、遠隔制御キーパッド８９によって別の選択的に使用可能なビデオ信号源が選ばれると、これが遠隔制御受信機７９により検出され、マイクロプロセッサ７４によりモニタされる。マイクロプロセッサ７４はビデオ信号源選択器８８に、ビデオ信号源Ａの代りに上記選択された別のビデオ信号源からのビデオ駆動信号及び同期信号を供給するための制御データを送る。また、マイクロプロセッサ７４はブロック５６中の位相調整回路に、上記別のビデオ信号源の異なるタイミングを補償して画像の水平方向のセンタリングが行えるようにするための制御データを送る。
【００２９】
従って、この発明の一態様によれば、入力ビデオ信号とラスタを発生するために水平偏向回路によって用いられる走査同期信号との間の最適な位相関係が設定される。この最適位相関係は、位相粗調整用のバス制御される位相調整回路と位相微調整用の手動制御される位相調整回路の双方を用いて行うことができる。ここで言う粗調整及び微調整の粗と微は相対的な用語であり、ある特定目的のためには、遅延時間の増分ステップ階段状変化の単位量を小さくして粗調整を充分細かくすることができる。ビデオ信号と走査同期信号との間に多かれ少かれいくらかの位相遅延を必要とする特別なビデオ表示機能あるいは処理を行うために、あるいは、別の選択可能なビデオ信号源からの信号を表示するためにマイクロプロセッサが呼出された時は、位相遅延がそれに応じてマイクロプロセッサによって変えられる。この構成により、全てのビデオ処理に対する、また、全てのビデオ信号源に対するビデオ／ラスタ位相遅延の最適化に弾力的に対処することができる。
【図面の簡単な説明】
【図１】図１は、この発明による１ｆＨビデオ信号を２ｆＨの水平走査周波数で表示するためのタイミング信号を発生する同期回路を含み、バス制御及び手動制御による位相調を行うための水平偏向システムのブロック図である。
【図２】図２は、図１の１ｆＨ−２ｆＨ変換器及びバス制御位相調整回路の詳細を示すブロック図である。
【図３】図３は、デジタル移相器を用いたバス制御位相調整の変形を示すブロック図である。
【図４】図４は、手動制御位相機能を有する図１の第２の位相ロックループをより詳細に示す回路図である。
【図５】図５（ａ）〜（ｄ）は、バス制御位相調整と手動制御位相調整との説明に用いる波形図である。
【図６】図６は、２ｆＨ同期信号が１ｆＨ同期信号の周期内で非対称であることによるラスタの分離を示す図である。
【図７】図７（ａ）〜（ｆ）は、図６に示したラスタ分離を説明するための波形図である。
【図８】図８は、マイクロプロセッサ、選択的に用いられるビデオ信号源及びバス制御されるビデオ／ラスタ位相調整システムの相互作用を説明するために用いる図である。
【符号の説明】
５６  タイミング信号生成手段
７４  制御手段（マイクロプロセッサ）
７９  制御手段（遠隔制御受信機）
８１  第１の信号源
８２  第２の信号源
８８  選択手段
【図１】
0003655275.tif 000002
【図２】
0003655275.tif 000003
【図３】
0003655275.tif 000004
【図４】
0003655275.tif 000005
【図５】
0003655275.tif 000006
【図６】
0003655275.tif 000007
【図７】
0003655275.tif 000008
【図８】
0003655275.tif 000009